(57)【要約】【課題】ユーザにできるだけ信頼度の高い施設利用情報を提示することができる車両用情報収集提示装置を提供する。【解決手段】  タッチセンサ４０から立ち寄り施設特定情報が入力されると、送受信部７０を介して施設利用情報センタ１００の施設利用情報データベース１０５から該当施設の位置情報や施設利用情報が取得されディスプレイ５０に提示される。乗員が実際にその施設に立ち寄ると、ＧＰＳ車載器２０で取得された車両の現在位置から該当施設に乗員が立ち寄ったことが判定され、その後、提示された施設利用情報の満足度情報が乗員によってタッチセンサ４０にて入力される。該当施設に実際に立ち寄ったという情報と満足度情報とが送受信部７０を介して施設利用情報データベース１０５に格納される。したがって、施設利用情報データベース１０５には実際に立ち寄った実績のある施設利用情報等が格納されるので、情報の信頼度が向上する。【選択図】図１
2008128658.tif 000002
【特許請求の範囲】
【請求項１】
車両が駐車状態であることを検出する車両駐車検出手段と、
前記車両の現在位置を検出する現在位置検出手段と、
前記車両に乗車している乗員を特定し、予め記憶された複数の乗員情報から前記特定された乗員に関する乗員情報を出力する乗員情報出力手段と、
前記乗員が立ち寄りを希望する施設を特定するための情報を乗員の操作により入力する入力手段と、
施設の位置情報及び前記施設の施設利用情報が格納され、前記施設に関する新たな施設利用情報を前記施設の位置情報に関連付けて、外部から入力して格納することができる施設利用情報データベースから、前記入力手段により入力された前記乗員が立ち寄りを希望する施設を特定する情報に基づいて前記乗員が立ち寄りを希望する施設の位置情報及び施設利用情報を取得するための施設利用情報取得手段と、
前記施設利用情報取得手段で取得された前記施設利用情報を前記乗員に提示する情報提示手段と、
前記施設利用情報データベースへ前記施設に関する新たな施設利用情報を出力する施設利用情報出力手段と、
前記乗員に前記施設利用情報を提示するための制御を行う制御手段と、
を備え、
前記制御手段は、
前記入力手段で入力された前記乗員が立ち寄りを希望する施設を特定するための情報に基づき当該施設の施設利用情報を前記施設利用情報取得手段を介して前記施設利用情報データベースから取得し、前記情報提示手段に提示すると共に、前記車両駐車検出手段で前記車両が駐車状態になったことが検出されたか否かを判定し、前記車両が駐車状態になったと判定した場合、前記現在位置検出手段で検出された前記車両の現在位置を取得し、取得した車両の現在位置が前記乗員が立ち寄りを希望する施設の位置から所定の範囲内にあるときには、前記乗員が立ち寄りを希望する施設に到達した旨及び前記乗員情報出力手段から出力される乗員情報を、前記乗員が立ち寄りを希望する施設の位置情報に関連づけて、前記施設利用情報出力手段を介して前記施設利用情報データベースに格納することを特徴とする車両用情報収集提示装置。
【請求項２】
請求項１に記載の車両用情報収集提示装置において、
前記入力手段は、前記乗員が立ち寄りを希望する施設を特定するための情報以外に、前記乗員が立ち寄った後の当該施設に関する施設利用情報の満足度情報が入力可能に構成され、
前記制御手段は、前記乗員が立ち寄りを希望する施設に到達した旨及び前記乗員情報に加え、前記乗員が立ち寄りを希望する施設に到達した後の当該施設に関する施設利用情報の満足度情報を前記乗員が立ち寄りを希望した施設の位置情報に関連づけて前記施設利用情報データベースに格納することを特徴とする車両用情報収集提示装置。
【請求項３】
請求項１に記載の車両用情報収集提示装置において、
前記乗員が携帯し、前記乗員がどの施設に立ち寄ったかを示す立ち寄り情報を取得して記憶する携帯型端末装置から、前記立ち寄り情報を取得するための端末情報取得手段を備え、
前記制御手段は、前記車両駐車検出手段で、前記車両が駐車状態であることが検出されたと判定した後、前記端末情報取得手段から取得した前記立ち寄り情報及び前記乗員情報を、前記立ち寄り施設の位置情報に関連づけて前記施設利用情報データベースに格納することを特徴とする車両用情報収集提示装置。
【請求項４】
請求項２に記載の車両用情報収集提示装置において、
前記乗員が携帯し、前記乗員がどの施設に立ち寄ったかを示す立ち寄り情報を取得して記憶すると共に、前記乗員が立ち寄った後の当該施設に関する施設利用情報の満足度情報を入力して記憶可能に構成された携帯型端末装置から、前記立ち寄り情報及び施設利用情報の満足度情報を取得するための端末情報取得手段を備え、
前記制御手段は、前記車両駐車検出手段で、前記車両が駐車状態であることが検出されたと判定した後、前記端末情報取得手段から取得した前記立ち寄り情報、前記施設利用情報の満足度情報及び前記乗員情報を、前記立ち寄り施設の位置情報に関連づけて前記施設利用情報データベースに格納することを特徴とする車両用情報収集提示装置。
【発明の詳細な説明】
【技術分野】
【０００１】
本発明は、各種施設に関する情報を収集し提示するための車両用情報収集提示装置に関する。
【背景技術】
【０００２】
従来のカーナビゲーション装置には、スポーツ施設、娯楽施設あるいは観光地のホテルなどの情報をユーザの嗜好に合わせてタイミング良く提示するものがあった。
つまり、車両の走行状態に関する情報、年齢、性別、当日の予定といったユーザ情報、スポーツ施設に行った後は温泉施設に行くといったユーザの嗜好などに基づいて施設利用情報の提示タイミングを推定し、適切なタイミングでユーザの嗜好に合った施設利用情報の提示を可能にして、ドライブ時の快適性を高めるものがあった（例えば、特許文献１参照）。
【特許文献１】特開平２００５−３３９２７９号公報
【発明の開示】
【発明が解決しようとする課題】
【０００３】
ところが、このカーナビゲーション装置によって提示される施設利用情報は、インターネットなどを検索して得られる情報である。したがって、情報の信頼度が低い可能性があるという問題がある。
【０００４】
つまり、インターネットで得られる情報にはその内容が正確なものでない場合などがあるため、提示された施設利用情報に基づいてある施設に行ったところ、提示された施設利用情報の内容とは全く異なる施設であることもある。さらに極端な場合には、得られた施設利用情報が虚偽の情報であったため、施設が存在しなかったということも考えられるのである。
【０００５】
本発明は、このような問題に鑑みなされたものであり、ユーザにできるだけ信頼度の高い施設利用情報を提示することができる車両用情報収集提示装置を提供することを目的としている。
【課題を解決するための手段】
【０００６】
かかる問題を解決するためになされた請求項１に記載の車両用情報収集提示装置（５：この欄においては、発明に対する理解を容易にするため、必要に応じて「発明を実施するための最良の形態」欄において用いた符号を付すが、この符号によって請求の範囲を限定することを意味するものではない。）は、車両駐車検出手段（１０）、現在位置検出手段（２０）、乗員情報出力手段（３０）、入力手段（４０）、施設利用情報取得手段（７０）、施設利用情報出力手段（７０）、情報提示手段（５０）及び制御手段（６０）を備えている。
【０００７】
車両駐車検出手段（１０）は、車両が駐車状態であることを検出し、現在位置検出手段（２０）は、車両の現在位置を検出する。また、乗員情報出力手段（３０）は、車両に乗車している乗員を特定し、予め記憶された複数の乗員情報から特定された乗員に関する乗員情報を出力し、
入力手段（４０）は、乗員の操作により乗員が立ち寄りを希望する施設を特定するための情報を入力する。
【０００８】
さらに、施設利用情報取得手段（７０）は、施設利用情報データベース（１０５）から、入力手段（４０）により入力された乗員が立ち寄りを希望する施設を特定するための情報に基づいて、乗員が立ち寄りを希望する施設の位置情報及び施設利用情報を取得する。
【０００９】
施設利用情報データベース（１０５）は、施設の位置情報及び施設に関する施設利用情報が格納され、施設に関する新たな情報を施設の位置情報に関連付けて、外部から入力して格納することができる。
【００１０】
また、情報提示手段（５０）は、施設利用情報取得手段（７０）で取得された施設利用情報を乗員に提示し、施設利用情報出力手段（７０）は、施設利用情報データベース（１０５）へ施設に関する新たな施設利用情報を出力する。
【００１１】
制御手段（６０）は、乗員に施設利用情報を提示するための制御を行うものであり、入力手段（４０）で入力された乗員が立ち寄りを希望する施設を特定するための情報に基づき、当該施設の施設利用情報を施設利用情報取得手段（７０）を介して施設利用情報データベース（１０５）から取得し、情報提示手段（５０）に提示する。
【００１２】
また、制御手段（６０）は、車両駐車検出手段（１０）で車両が駐車状態になったことが検出されたか否かを判定し、車両が駐車状態になったと判定した場合、現在位置検出手段（２０）で検出された車両の現在位置を取得し、取得した車両の現在位置が乗員が立ち寄りを希望する施設の位置から所定の範囲内にあるときには、乗員が立ち寄りを希望する施設に到達した旨及び乗員情報出力手段（３０）から出力される乗員情報を、乗員が立ち寄りを希望する施設の位置情報に関連づけて、施設利用情報出力手段（７０）を介して施設利用情報データベース（１０５）に格納する。
【００１３】
以上のような車両用情報収集提示装置（５）によれば、施設利用情報データベース（１０５）に格納される情報の信頼度を上げることができる。以下これについて説明する。
乗員が立ち寄りを希望する施設を特定するための情報を入力すると、施設利用情報データベース（１０５）から乗員が立ち寄りを希望する施設の位置情報と施設利用情報が取得され、そのうち施設利用情報が情報提示手段（５０）に提示される。
【００１４】
また、車両が駐車状態になった場合、その車両の現在位置が、乗員が立ち寄りを希望する施設の位置から所定の範囲内にあるときには、乗員が立ち寄りを希望する施設に到達した旨及び乗員情報出力手段（３０）で特定された乗員情報が、立ち寄りを希望する施設の位置情報に関連づけて施設利用情報データベース（１０５）に格納される。
【００１５】
つまり、請求項１に記載の車両用情報収集提示装置（５）によれば、乗員が立ち寄りを希望する施設に車両が実際に到達した場合には、その施設に立ち寄ったこと（到達したこと）及び立ち寄った乗員の乗員情報とが、施設の位置情報に関連づけて施設利用情報データベース（１０５）に格納されていく。
【００１６】
したがって、施設利用情報データベース（１０５）には、例えば、施設に関する紹介情報等に加え、実際にその施設に立ち寄ったことがある乗員の乗員情報が付加されて格納される。換言すれば、実際に乗員がその施設に立ち寄ったことがなければ、施設利用情報として施設利用情報データベース（１０５）に格納されない。
【００１７】
したがって、施設利用情報データベース（１０５）に施設利用情報はあるが、実際には、その施設が存在しないといったような状況が発生しないので、施設利用情報データベース（１０５）に格納される施設利用情報の信頼度が向上するのである。
【００１８】
なお、「乗員情報」とは、乗員の氏名、ニックネーム、年齢、性別、立ち寄り施設に到達した日の予定など、乗員を識別するため情報、乗員の行動予定情報あるいは乗員の嗜好に関する情報などを意味する。
【００１９】
また、「乗員が立ち寄りを希望する施設を特定するための情報」とは、乗員が立ち寄りを希望する施設の位置情報や施設利用情報を施設利用情報データベース（１０５）において検索する際のキーワードとなる情報を意味する。例えば、施設の名称、施設の住所などである。
【００２０】
さらに、「施設利用情報」とは、施設の紹介情報、施設近隣のどの駐車場と提携しているか、あるいは、施設や提携駐車場の利用料金といった、施設を利用するために必要となる情報や施設を利用する際に便利な情報を意味している。
【００２１】
また、「前記乗員が立ち寄りを希望する施設の位置から所定の範囲内にある」とは、当該施設から所定の範囲にある場所に位置するということであり、例えば、当該施設の駐車場や当該施設の近くの土地、道路などに駐車している場合をいう。
【００２２】
ところで、施設利用情報が提示されるだけでなく、施設利用情報の提示を受けて実際にその施設に立ち寄った乗員が、提示された施設利用情報に満足したか否かがわかると、次に情報提示を受ける者にとって施設利用情報の価値が向上する。
【００２３】
そこで請求項２に記載のように、入力手段（４０）は、乗員が立ち寄りを希望する施設を特定するための情報以外に、乗員が立ち寄った後の当該施設に関する施設利用情報の満足度情報が入力可能に構成され、制御手段（６０）は、乗員が立ち寄りを希望する施設に到達した旨及び乗員情報に加え、乗員が立ち寄りを希望する施設に到達した後の当該施設に関する施設利用情報の満足度情報を、乗員が立ち寄りを希望した施設の位置情報に関連づけて施設利用情報データベース（１０５）に格納するようにするとよい。
【００２４】
このようにすると、施設利用情報の提示を受けて実際にその施設に立ち寄った乗員が提示された施設利用情報に満足したか否かがわかるので、情報提示を受ける者にとって施設利用情報の価値が向上し、使いやすい車両用情報収集提示装置（５）となる。
【００２５】
ところで、乗員が立ち寄りを希望する施設が多数の店舗を有する大型のショッピングセンタなどの複合施設であった場合、車両をその駐車場に駐車しても、実際には複合施設のどの店舗に立ち寄ったのかが分からない場合がある。そこで、請求項３に記載のように、携帯型端末装置（１１０）を用いるとよい。
【００２６】
携帯型端末装置（１１０）は、乗員が携帯し、乗員がどの施設に立ち寄ったかを示す立ち寄り情報を取得して記憶する。また、車両用情報収集提示装置（５）は、携帯型端末装置（１１０）から立ち寄り情報を取得するための端末情報取得手段（８０）を備え、制御手段（６０）は、車両駐車検出手段（１０）で、車両が駐車状態であることが検出されたと判定した後、端末情報取得手段（８０）から取得した立ち寄り情報及び乗員情報を立ち寄り施設の位置情報に関連づけて施設利用情報データベース（１０５）に格納する。
【００２７】
このようにすると、例えば、乗員が複合施設の駐車場に車両を駐車した後、携帯型端末装置（１１０）を携帯して行動すれば、その携帯型端末装置（１１０）では乗員が複合施設内のどの店舗などに立ち寄ったかを示す立ち寄り情報が取得されて記憶される。
【００２８】
したがって、車両用情報収集提示装置（５）では、端末情報取得手段（８０）により携帯型端末装置（１１０）に記憶されている立ち寄り情報を取得し、取得した立ち寄り情報及び乗員情報とを立ち寄り施設の位置情報に関連づけて施設利用情報データベース（１０５）に格納すれば、複合施設においても各施設ごとの施設利用情報が施設利用情報データベース（１０５）に格納されるので、施設利用情報データベース（１０５）の施設利用情報の信頼度を向上させることができる。
【００２９】
また、携帯型端末装置（１１０）を利用する場合、請求項４に記載のように、携帯型端末装置（１１０）を、乗員がどの施設に立ち寄ったかを示す立ち寄り情報を取得して記憶すると共に、乗員が立ち寄った後の当該施設に関する施設利用情報の満足度情報を入力して記憶可能とする。
【００３０】
また、端末情報取得手段（８０）は、立ち寄り情報及び施設利用情報の満足度情報を取得し、制御手段（６０）は、車両駐車検出手段（１０）で、車両が駐車状態であることが検出されたと判定した後、端末情報取得手段（８０）から取得した立ち寄り情報、施設利用情報の満足度情報及び乗員情報を立ち寄り施設の位置情報に関連づけて施設利用情報データベース（１０５）に格納するようにしてもよい。
【００３１】
このようにすると、携帯型端末装置（１１０）では、どの施設に立ち寄ったかだけでなく、その施設に関する施設利用情報の満足度情報を収集できる。したがって、例えば、乗員が複合施設を訪れたときなどには、各々の店舗に関する施設利用情報の満足度情報も収集され施設利用情報データベース（１０５）に格納されるので、施設利用情報データベース（１０５）に格納される情報の信頼度がさらに向上する。
【発明を実施するための最良の形態】
【００３２】
以下、本発明が適用された実施形態について図面を用いて説明する。なお、本発明の実施の形態は、下記の実施形態に何ら限定されることはなく、本発明の技術的範囲に属する限り種々の形態を採りうる。
【００３３】
［第１実施形態］
（車両用情報収集提示システムの構成）
図１は、車両用情報収集提示装置５を用いた車両用情報収集提示システム１の概略構成を示すブロック図である。車両用情報収集提示システム１は、図１に示すように、車両用情報収集提示装置５、施設利用情報センタ１００、携帯型端末装置１１０から構成される。
【００３４】
車両用情報収集提示装置５は、車両駐車検出部１０、ＧＰＳ車載器２０、乗員情報記憶部３０、タッチセンサ４０、ディスプレイ５０、制御部６０、送受信部７０及び携帯型端末装置データ受信部８０を備えている。
【００３５】
車両駐車検出部１０は、車両が駐車状態であることを検出するものであり、エンジンキーセンサ１２、車両電源スイッチセンサ１４（以下、車両電源ＳＷセンサ１４とも呼ぶ。）、ドアセンサ１６、窓センサ１８とを備える。
【００３６】
エンジンキーセンサ１２は、エンジンキーが抜かれているか否かを検出し、検出結果をエンジンキーデータとして出力する。
車両電源ＳＷセンサ１４は、車両に搭載されているバッテリから供給される電源がオンであるかオフであるかを検出し、車両電源ＳＷデータとして出力する。
【００３７】
ドアセンサ１６は、車両のドアが開状態であるか閉状態であるかを検出し、ドア開閉データとして出力する。
窓センサ１８は、車両の運転者側の窓が開状態であるか閉状態であるかを検出し窓開閉データとして出力する。
【００３８】
ＧＰＳ車載器２０は、車両の現在位置及び車速を検出し、現在位置データ及び車速データとして出力する。
乗員情報記憶部３０は、車両に乗車している乗員を特定し、予め記憶された複数の乗員情報から特定された乗員に関する乗員情報を出力する。具体的には、乗員情報が記憶されたメモリスティックなどの携帯可能なメモリであり、乗員がメモりスティックなどを制御部６０に装着することにより、車両の乗員を特定して乗員情報を制御部６０に出力する。
【００３９】
タッチセンサ４０は、乗員の操作により乗員が立ち寄りを希望する施設を特定するための情報を入力すると共に、乗員が立ち寄りを希望する施設を特定する情報以外に乗員が立ち寄った後の当該施設に関する施設利用情報の満足度情報が入力できるように構成されている。
【００４０】
タッチセンサ４０は、ディスプレイ５０の画面部分に設置され、ディスプレイ５０に表示される入力を促す画面部分に対応した部分で乗員の指などが接触したことや近接したことを感知し、入力を促す画面部分の表示内容に対応した情報の入力が行われる。
【００４１】
送受信部７０は、施設利用情報センタ１００からタッチセンサ４０により入力された乗員が立ち寄りを希望する施設を特定する情報（以下、施設特定情報とも呼ぶ。）に基づいて乗員が立ち寄りを希望する施設の位置情報及び施設利用情報を取得すると共に、施設利用情報センタ１００へ施設に関する新たな施設利用情報を出力する。
【００４２】
具体的には、送受信部７０は、施設利用情報センタ１００へ施設特定情報を送信する。施設利用情報センタ１００では、施設特定情報を受信して、施設利用情報データベース１０５で施設特定情報に合致する施設を検索し、検索した結果得られる当該施設にの位置情報、施設利用情報を送受信部７０へ送信する。
【００４３】
そして、送受信部７０では、施設利用情報センタ１００から送信されてくる当該施設に関する位置情報や施設利用情報を受信することによってそれらの情報を取得するのである。
【００４４】
ディスプレイ５０は、送受信部７０で取得された施設利用情報を乗員に表示するためのものであり、液晶ディスプレイやＣＲＴなどが使用される。
携帯型端末装置データ受信部８０は、携帯型端末装置１１０に記憶された施設位置情報や施設利用情報などを受信し、制御部６０へ出力する。
【００４５】
施設利用情報センタ１００には、施設利用情報データベース１０５があり、施設利用情報データベース１０５に格納されている情報を送受信部７０へ送信したり、格納するデータを送受信部７０から受信する。また、施設利用情報データベース１０５は、施設の位置情報及び前記施設に関する施設利用情報が格納され、施設に関する新たな施設利用情報を前記施設の位置情報に関連付けて、外部から入力して格納することができる。
【００４６】
携帯型端末装置１１０は、乗員が携帯し、乗員がどの施設に立ち寄ったかを示す立ち寄り情報及び立ち寄った施設の施設利用情報の満足度情報を取得して記憶する。また、記憶した各情報を携帯型端末装置データ受信部８０に送信する。
【００４７】
制御部６０は、図示しないＣＰＵ、ＲＯＭ、ＲＡＭ及びＩ／Ｏなどから構成されており、以下の（１）〜（４）に示す機能を有している。
（１）タッチセンサ４０で入力された施設特定情報に基づき、当該施設の施設利用情報を送受信部７０を介して施設利用情報センタ１００から取得し、ディスプレイ５０に表示する。
【００４８】
（２）車両駐車検出部１０で車両が駐車状態になったことが検出されたか否かを判定し、車両が駐車状態になったことが検出されたと判定した場合、ＧＰＳ車載器２０から車両の現在位置を取得する。
【００４９】
（３）ＧＰＳ車載器２０から取得した車両の現在位置が乗員が立ち寄りを希望する施設の位置から所定の範囲内にあるときには、乗員が立ち寄りを希望する施設に到達した旨、乗員情報記憶部３０から出力される乗員情報及び乗員が立ち寄りを希望する施設に到達した後の当該施設に関する施設利用情報の満足度情報を、乗員が立ち寄りを希望する施設の位置情報に関連づけて、送受信部７０を介して施設利用情報センタ１００へ送信する。
【００５０】
（４）車両駐車検出部１０で、車両が駐車状態であることが検出されたと判定した後、携帯型端末装置データ受信部８０から取得した立ち寄り情報、乗員情報及び乗員が立ち寄った後の当該施設に関する施設利用情報の満足度情報を立ち寄り施設の位置情報に関連づけて、送受信部７０を介して施設利用情報センタ１００へ送信する。
【００５１】
（制御部における処理）
次に、図２〜図５に基づいて制御部６０で実行される処理について説明する。図２は、制御部６０で実行されるメイン処理のフローチャートであり、図３は、サブルーチンである施設利用情報提示処理のフローチャートであり、図４及び図５は、サブルーチンである立ち寄り判定処理のフローチャートであり、図６は、同じくサブルーチンである施設利用情報収集・送信処理のフローチャートである。
【００５２】
制御部６０では、このメインルーチンが定期的に起動されて実行される。メインルーチンでは、図２に示すように、Ｓ１００において、タッチセンサ４０から施設特定情報が入力される。
【００５３】
続くＳ１０５では、施設特定情報に基づいて施設利用情報を提示する施設利用情報提示処理が実行される。
Ｓ１１０では、Ｓ１０５の施設利用情報提示処理において取得された施設の位置情報や施設利用情報に基づいて、乗員が立ち寄りを希望した施設に立ち寄ったか否かを判定する立ち寄り判定処理が行われる。
【００５４】
続く、Ｓ１１５では、乗員が立ち寄った施設に関する施設情報の収集及び送信をする施設情報収集・送信処理が行われ、メイン処理が終了となる。
（施設利用情報提示処理）
次に、図３に基づいて施設利用情報提示処理について説明する。施設利用情報提示処理では、図３に示すように、Ｓ２００にて、メインルーチンのＳ１００において入力された施設特定情報に合致する施設の位置情報及び施設利用情報が施設利用情報センタ１００の施設利用情報データベース１０５において検索される。
【００５５】
具体的には、施設特定情報が送受信部７０を介して施設利用情報センタ１００へ送信される。施設利用情報センタ１００では、施設特定情報で特定される施設に関する位置情報及び施設利用情報が施設利用情報データベース１０５において検索され、検索結果が車両用情報収集提示装置５へ送信される。車両用情報収集提示装置５では、送受信部７０において検索結果が受信される。
【００５６】
続くＳ２０５では、Ｓ２００において検索した施設利用情報データベース１０５から施設特定情報に合致する施設の施設位置、施設利用情報及びそれらの情報が更新された日時が取得される。具体的には、施設利用情報センタ１００から送信された検索結果を送受信部７０において受信することによって、施設の位置情報や施設利用情報を取得するのである。
【００５７】
そして、Ｓ２１０では、Ｓ２０５において取得された各種情報がディスプレイ５０に表示される。表示の例を図８（ａ）〜図８（ｃ）に示す。
図８（ａ）は、施設特定情報に合致する施設が多い場合の表示例を示している。図８（ａ）において、「リンク」が３つあるのは、施設利用情報データベース１０５に施設特定情報に合致する施設が３箇所存在したことを示している。また、「リンク」の下段の「説明文」は、信頼度が向上した施設利用情報等があることを示している。
【００５８】
「説明文」の詳細とは、情報の更新日時、施設に実際に立ち寄ったことがある者（利用者）の年齢、性別、人数などである。
なお、「リンク」が表示されなければ、施設特定情報に合致する施設がなかったことを意味しており、「リンク」は表示されたが「説明文」が表示されない場合には信頼度が向上した施設利用情報等がないことを意味している。
【００５９】
図８（ｂ）は、施設特定情報に合致する施設が少ない場合の表示例を示している。図８（ｂ）においては、施設特定情報としてレストランが２つ（レストランＡ、レストランＢ）あり、それぞれのレストランに対する信頼度が向上した施設利用情報（情報の更新日や利用者に関する情報）が１画面中に表示されている。
【００６０】
図８（ｃ）は、信頼度が向上した情報以外に下段部分に他の情報、この場合インターネット情報、を表示した例を示している。
（立ち寄り判定処理）
次に、図４及び図５に基づいて立ち寄り判定処理について説明する。立ち寄り判定処理では、図４に示すように、Ｓ３００において、ＧＰＳ車載器２０から車速データ及び車両の現在位置データが入力される。
【００６１】
続くＳ３０５では、Ｓ３００において取得した車速データから車両が停止したか否かが判定される。そして、車両が停止していないと判定された場合は（Ｓ３０５：Ｎｏ）、処理がＳ３００へ戻され、ＧＰＳ車載器２０からの車速データの入力と停車の判定が繰り返される。一方、車両が停止したと判定された場合は（Ｓ３０５：Ｙｅｓ）、処理がＳ３１０へ移行される。
【００６２】
Ｓ３１０では、エンジンキーセンサ１２からエンジンキーが抜かれているか否かを示すエンジンキーデータが入力される。そして、続くＳ３１５で、Ｓ３１０において入力されたエンジンキーデータに基づいて、エンジンキーが抜かれているか否かが判定される。
【００６３】
そして、エンジンキーが抜かれている場合は（Ｓ３１５：Ｙｅｓ）、処理がＳ３２０へ移行され、エンジンキーが抜かれていない場合は（Ｓ３１５：Ｎｏ）、処理がＳ３６０へ移行される。
【００６４】
Ｓ３２０では、提携施設があるか否かが判定される。ここで、提携施設とは、施設と提携している近隣の駐車場などのことである。そして、提携施設がないと判定された場合は（Ｓ３２０：Ｎｏ）、処理がＳ３２５へ移行され、提携施設があると判定された場合は（Ｓ３２０：Ｙｅｓ）、処理がＳ３４５へ移行される。
【００６５】
Ｓ３２５では、携帯型端末装置１１０があるか否かが判定される。具体的には、携帯型端末装置データ受信部８０から携帯型端末装置１１０へ問い合わせ情報を送信させ、それに対して携帯型端末装置１１０から応答があれば携帯型端末装置１１０があると判定され、応答がなければ携帯型端末装置１１０はないと判定される。
【００６６】
携帯型端末装置１１０があると判定された場合は（Ｓ３２５：Ｙｅｓ）、処理がＳ３３０へ移行され、携帯型端末装置がないと判定された場合には（Ｓ３２５：Ｎｏ）、処理がＳ３４０へ移行される。
【００６７】
Ｓ３３０では、携帯型端末装置１１０に記憶されている立ち寄り情報及び満足度情報が携帯型端末装置データ受信部８０から取得され、続くＳ３３５では、Ｓ３３０において取得した立ち寄り情報から携帯型端末装置１１０を携行した乗員がどの施設に立ち寄ったかが特定されて、立ち寄り判定処理が終了される。
【００６８】
一方、Ｓ３４０では、Ｓ３００において取得した車両の現在位置データから車両の現在位置（つまり、駐車地点）に最も近い施設が立ち寄り施設として特定され、立ち寄り判定処理が終了される。
【００６９】
Ｓ３２０において、提携施設があると判定され処理がＳ３４５に移行された場合、Ｓ３４５では、提携施設が複数あるか否かが判定される。そして、提携施設が複数の場合は（Ｓ３４５：Ｙｅｓ）、処理が前述したＳ３２５へ移行され、複数でない場合は、（Ｓ３４５：Ｎｏ）、続くＳ３５０で、提携施設が複合施設であるか否かが判定される。
【００７０】
提携施設が複合施設である場合は（Ｓ３５０：Ｙｅｓ）、処理がＳ３２５へ移行され、複合施設でない場合は（Ｓ３５０：Ｎｏ）、続くＳ３５５において、施設利用情報に基づいて、立ち寄り施設が特定される。
【００７１】
具体的には、例えば、施設利用情報に基づいて複合施設のうち今まで最も立ち寄った者が多い施設を立ち寄り施設として特定する。そして、立ち寄り施設を特定したら、立ち寄り判定処理が終了となる。
【００７２】
Ｓ３１５において、エンジンキーが抜かれていないと判定され、処理がＳ３６０へ移行した場合、Ｓ３６０では、ドアセンサ１６からドア開閉データが入力され、続くＳ３６５でドアが開いたか否か、換言すれば、乗員がドアを開けたか否かが判定される。
【００７３】
乗員がドアを開けたと判定された場合は（Ｓ３６５：Ｙｅｓ）、処理が前述したＳ３２０へ移行され、ドアを開けていないと判定された場合は（Ｓ３６５：Ｎｏ）、処理が図５に示すＳ３７０へ移行される。
【００７４】
Ｓ３７０では、車両電源ＳＷセンサ１４から車両電源ＳＷデータが入力され、続くＳ３７５でエンジンが停止したか否かが判定される。具体的には、車両電源ＳＷデータにより車両電源ＳＷがオンの場合にはエンジンが作動中であり、車両電源ＳＷがオフの場合にはエンジンが停止していると判定される。
【００７５】
そして、Ｓ３７５においてエンジンが停止していると判定された場合は（Ｓ３７５：Ｙｅｓ）、処理がＳ３８０へ移行され、エンジンが停止していないと判定された場合は（Ｓ３７５：Ｎｏ）、Ｓ３９５へ処理が移行される。
【００７６】
Ｓ３８０では、Ｓ３００において取得した車両の現在位置データと施設位置情報とが比較され車両の現在位置がガソリンスタンドであるか否かが判定される。
そして、車両の現在位置がガソリンスタンドであると判定された場合は（Ｓ３８０：Ｙｅｓ）、Ｓ３８５において立ち寄り施設がガソリンスタンドであると特定され、立ち寄り判定処理が終了される。車両の現在位置がガソリンスタンドではないと判定された場合は（Ｓ３７５：Ｎｏ）、Ｓ３９０にて立ち寄施設が特定されないで立ち寄り判定処理が終了される。
【００７７】
一方、Ｓ３９５では、Ｓ３００において取得した車両の現在位置データと施設位置情報とが比較され車両の現在位置がドライブスルー施設であるか否かが判定される。
そして、車両の現在位置がドライブスルー施設でないと判定された場合は（Ｓ３９５：ＮＯ）、処理が前述したＳ３９０へ移行され、ドライブスルー施設であると判定された場合は（Ｓ３９０：Ｙｅｓ）、続くＳ４００において、ドライブスルー施設内で一定時間（例えば、５分間）が経過したか否か、つまり、ドライブスルー施設に一定時間以上居たか否かが判定される。
【００７８】
ドライブスルー施設に一定時間以上居なかった場合は（Ｓ４００：Ｎｏ）、処理がＳ３９０へ移行され、一定時間以上居た場合は（Ｓ４００：Ｙｅｓ）、続くＳ４０５において、窓センサ１８から窓開閉データが入力される。
【００７９】
続くＳ４１０では、Ｓ４０５において入力された窓開閉データに基づいて、運転者側の窓が開けられたか否か、つまり、乗員が運転者側の窓を開けたか否かが判定される。
そして、窓が開けられなかったと判定された場合は（Ｓ４１０：Ｎｏ）、処理がＳ３９０へ移行され、窓が開けられたと判定された場合は（Ｓ４１０：Ｙｅｓ）、続くＳ４１５において、立ち寄り施設がドライブスルー施設であると特定されて、立ち寄り判定処理が終了される。
【００８０】
（施設情報収集・送信処理）
次に、図６に基づいて施設情報収集・送信処理について説明する。施設情報収集・送信処理では、図６に示すようにＳ５００において、携帯型端末装置１１０の有無が判定される。
【００８１】
そして、携帯型端末装置１１０があると判定された場合は（Ｓ５００：Ｙｅｓ）、続くＳ５０５において、携帯型端末装置データ受信部８０から満足度情報が取得される。携帯型端末装置１１０がないと判定された場合は（Ｓ５００：Ｎｏ）、処理がＳ５１０へ移行される。
【００８２】
Ｓ５１０では、ディスプレイ５０で乗員が施設に立ち寄った後の施設利用情報に満足したか否かの入力を促すための満足度情報取得表示が行われ、続くＳ５１５において、乗員の満足度情報が取得される。
【００８３】
つまり、Ｓ５１０において、図９（ａ）に示すように、施設利用情報の満足度の入力を促す表示がディスプレイ５０に表示される。そして、乗員の指などがディスプレイ５０の画面部分に設けられたタッチセンサ４０の満足度情報入力部分に触れると、Ｓ５１５において満足度情報として取得される。例えば、乗員の指などが図９（ａ）に示す表示画面の「大変満足」という四角の領域内に触れると「大変満足であった」という満足度情報が取得される。
【００８４】
以上のようにして満足度情報の入力が終了すると、続くＳ５２０において、図９（ｂ）に示すように、乗員の人数情報の入力を促す表示がディスプレイ５０に表示され、乗員の指などがディスプレイ５０の画面部分に設けられたタッチセンサ４０の乗員人数入力部分に触れると、Ｓ５２５において乗員の人数が取得される。例えば、乗員が図９（ｂ）に示す表示画面の「家族連れ」という四角の領域内に触れると「家族連れ」という人数情報が取得される。
【００８５】
以上のように乗員人数情報が取得されると、Ｓ５３０において、図９（ｃ）に示すように、「ご登録ありがとうございました  またご協力お願いします」といった情報取得終了表示がなされ、処理がＳ５３５へ移行される。
【００８６】
Ｓ５３５では、乗員情報記憶部３０から乗員の情報を取得し、乗員を特定し、続くＳ５４０において、施設立ち寄り情報、満足度情報、乗員特定情報及び乗員人数情報を送受信部７０を介して、施設利用情報センタ１００へ送信し、施設情報収集・送信処理が終了される。
【００８７】
（施設利用情報データベースの格納処理）
次に、図７に基づいて施設利用情報センタ１００で行われる施設利用情報データベースに対する施設利用情報データベースの格納処理について説明する。施設利用情報データベース格納処理では図７に示すようにＳ６００において、送受信部７０から送信されるデータが受信される。
【００８８】
続くＳ６０５では、Ｓ６００において受信したデータが施設利用情報データベース１０５に既に存在しているものであるか否かが判定される。既に存在しているデータでない場合は（Ｓ６０５：Ｎｏ）、処理がＳ６１０へ移行され、既に存在しているデータの場合には（Ｓ６０５：Ｙｅｓ）、処理がＳ６２０へ移行される。
【００８９】
Ｓ６１０では、新しい施設利用情報を格納するために記憶領域にスペースが作られ、続くＳ６１５では、Ｓ６１０で作られた記憶領域のスペースにＳ６００において受信したデータが格納される。
【００９０】
以上のようにしてデータが格納された施設利用情報データベース１０５の概略構成を図１０に示す。施設利用情報データベースは、図１０に示すように、閲覧された情報に加え、その閲覧された情報に実際に立ち寄った者の人数、立ち寄った者の人数構成及び車両のドライバ情報などが関連づけられて格納されている。
【００９１】
以上のような、車両用情報収集提示システム１によれば、乗員が立ち寄りを希望する施設を特定するための情報を入力すると、施設利用情報データベース１０５から乗員が立ち寄りを希望する施設の位置情報と施設利用情報が取得され、そのうち施設利用情報がディスプレイ５０に提示される。
【００９２】
また、車両が駐車状態になった場合、その車両の現在位置が、乗員が立ち寄りを希望する施設の駐車場のように施設位置から所定の範囲内にあるときには、乗員が立ち寄りを希望する施設に到達した旨及び乗員情報記憶部３０で特定された乗員情報が、立ち寄りを希望する施設の位置情報に関連づけて施設利用情報データベース１０５に格納される。
【００９３】
つまり、車両用情報収集提示システム１によれば、乗員が立ち寄りを希望する施設に車両が実際に到達した場合には、その施設に立ち寄ったこと（到達したこと）及び立ち寄った乗員の乗員情報とが、施設の位置情報に関連づけて施設利用情報データベース１０５に格納されていく。
【００９４】
したがって、施設利用情報データベース１０５には、例えば、施設に関する紹介情報等に加え、実際にその施設に立ち寄ったことがある乗員の乗員情報が付加されて格納される。換言すれば、実際に乗員がその施設に立ち寄ったことがなければ、施設利用情報として施設利用情報データベース１０５に格納されない。
【００９５】
したがって、施設利用情報データベース１０５に施設利用情報はあるが、実際には、その施設が存在しないといったような状況が発生しないので、施設利用情報データベース１０５）に格納される施設利用情報の信頼度が向上するのである。
【００９６】
また、携帯型端末装置１１０によって、乗員が立ち寄りを希望する施設を特定するための情報以外に、乗員が立ち寄った後の当該施設に関する施設利用情報の満足度情報が入力され、その情報が、乗員が立ち寄りを希望した施設の位置情報に関連づけて施設利用情報データベース１０５に格納される。
【００９７】
したがって、立ち寄った施設が複合施設であっても、施設利用情報の提示を受けて実際にその施設に立ち寄った乗員が提示された施設利用情報に満足したか否かがわかるので、情報提示を受ける者にとって施設利用情報の価値が向上し、使いやすい車両用情報収集提示システム１となる。
［第２実施形態］
次に、第１実施形態において制御部６０で実行される処理のうち、施設利用情報提示処理において、情報の信頼度に応じて自動的に情報の提示方法を変更した第２実施形態について説明する。
【００９８】
第２実施形態における施設利用情報提示処理では、図１１に示すように、第１実施形態における施設利用情報提示処理と同じようにＳ２００及びＳ２０５が実行された後、Ｓ２０７において、情報の信頼度が高いか否かが判定される。
【００９９】
情報の信頼度が高いか否かの判定基準としては、施設利用情報に不満足の評価がある一定数以上であるか否か、施設利用情報が一定期間（例えば１年）以上更新されているかいないか、あるいは、施設利用情報が一定期間（例えば１年）以上閲覧されているかいないかなどがある。
【０１００】
そして、情報の信頼度が高いと判定された場合は（Ｓ２０７：Ｙｅｓ）、第１実施形態と同じようにＳ２１０において取得した各情報がディスプレイ５０に表示される。一方、情報の信頼度が高くないと判定された場合は（Ｓ２０７：Ｎｏ）、処理がＳ２１５へ移行される。
【０１０１】
Ｓ２１５では、施設利用情報の表示の際、情報の信頼度が高くない旨がディスプレイ５０へ表示される。例えば、信頼性の高くない情報しかない施設のマークが小さく表示されたり、施設や説明の文字の色が変更されたりして、情報の信頼度が高くない旨がディスプレイ５０へ表示される。
【０１０２】
以上、本発明の実施形態について説明したが、本発明は、本実施形態に限定されるものではなく、種々の態様を採ることができる。例えば、
（１）第１実施形態では、車両駐車検出部１０の構成品としてエンジンキーセンサ１２、車両電源ＳＷセンサ１４、ドアセンサ１６及び窓センサ１８を用いていたが、乗員の座席に着座センサを設け、車速が０になった後に着座センサがオフ、つまり乗員が座席から離れたら車両が駐車状態になったと検出するようにしてもよい。
【０１０３】
また、パーキングブレーキのオン／オフセンサを設け、車速が０になった後にパーキングブレーキのオン／オフセンサがオン、つまりパーキングブレーキが引かれたら車両が駐車状態になったと検出するようにしてもよい。
【０１０４】
さらに、シフトレバーのポジションを検出するポジションセンサを設け、シフトレバーがＰレンジになったことが検出された場合に車両が駐車状態になったと検出するようにしてもよい。
【０１０５】
また、スマートキーによって、運転者が車両から離れたことを検出し、運転者が車両から離れた場合に車両が駐車状態になったと検出するようにしてもよい。
（２）第１実施形態では、乗員を特定するために乗員情報記憶部３０としてメモリスティックを用い、メモリスティックを、乗員が制御部６０に装着することによって、乗員を特定すると共に乗員情報を入力していたが、車室内にカメラを設置し、そのカメラで乗員を特定するようにしてもよい。
【０１０６】
つまり、カメラで乗員の顔を撮影し、画像処理によって乗員を特定し、特定された乗員の情報を、予め制御部６０のＲＯＭなどに格納されている乗員情報から取得するようにしてもよい。
【０１０７】
（３）第２実施形態の施設利用情報提示処理のＳ２１５において情報の表示を行う際、利用者の年齢等の個人情報を考慮し、例えば、同年代の者が信頼している情報のみが表示されるようにしたり、友人同士の間でのみ信頼されている情報のみが表示されるようにしてもよい。
【０１０８】
［その他の実施形態］
以上、本発明の実施形態について説明したが、本発明は、本実施形態に限定されるものではなく、種々の態様を採ることができる。
【０１０９】
例えば、上記実施形態では、乗員の操作により乗員が立ち寄りを希望する施設を特定するための情報の入力及び乗員が立ち寄りを希望する施設を特定する情報以外に乗員が立ち寄った後の当該施設に関する施設利用情報の満足度情報の入力のためにタッチセンサ４０を用いているが、それらの代わりに他の入力装置を用いてもよい。
【０１１０】
例えば、乗員の音声によってそれらの情報を入力する音声入力装置であってもよいし、乗員のボタン操作によって入力するような入力装置、例えばキーボードなどであってもよい。
【図面の簡単な説明】
【０１１１】
【図１】車両用情報収集提示装置５を用いた車両用情報収集提示システム１の概略構成を示すブロック図である。
【図２】制御部６０で実行されるメイン処理のフローチャートである。
【図３】サブルーチンである施設利用情報提示処理のフローチャートである。
【図４】サブルーチンである立ち寄り判定処理のフローチャートである。
【図５】サブルーチンである立ち寄り判定処理のフローチャートである。
【図６】サブルーチンである施設利用情報収集・送信処理のフローチャートである。
【図７】情報センタ１００で実行される施設利用情報データベース格納処理のフローチャートである。
【図８】施設利用情報の検索結果の例を示す図である。
【図９】満足度情報の入力画面の例を示す図である。
【図１０】施設利用情報データベース１０５の概略構成を示す図である。
【図１１】サブルーチンである施設利用情報提示処理のフローチャートである。
【符号の説明】
【０１１２】
１…車両用情報収集提示システム、５…車両用情報収集提示装置、１０…車両駐車検出部、１２…エンジンキーセンサ、１４…車両電源スイッチ（ＳＷ）センサ、１６…ドアセンサ、１８…窓センサ、２０…ＧＰＳ車載器、３０…乗員情報記憶部、４０…タッチセンサ、５０…ディスプレイ、６０…制御部、７０…送受信部、８０…携帯型端末装置データ受信部、１００…施設利用情報センタ、１０５…施設利用情報データベース、１１０…携帯型端末装置。
【図１】
2008128658.tif 000003
【図２】
2008128658.tif 000004
【図３】
2008128658.tif 000005
【図４】
2008128658.tif 000006
【図５】
2008128658.tif 000007
【図６】
2008128658.tif 000008
【図７】
2008128658.tif 000009
【図８】
2008128658.tif 000010
【図１０】
2008128658.tif 000011
【図１１】
2008128658.tif 000012
【図９】
2008128658.tif 000013